(57)【要約】【課題】ページ番号を読み取り認識する際のページ番号の認識率を向上【解決手段】本実施例の画像形成装置１では、ページ番号に基づき読み取り領域を設定する領域設定部１１と、前記読み取り領域内の前記画像データを読み取るスキャナー部２９と、スキャナー部２９による読み取り結果から番号を認識する番号認識部１３と、番号認識部１３による認識結果を連続する複数ページで比較し連番となる番号の有無を判別し連番となる番号をページ番号と判別する番号判別部１５とを備えたことを特徴とする。【選択図】図１
2012096434.tif 000002
【特許請求の範囲】
【請求項１】
画像データを読み取り画像出力する画像形成装置において、
ページ番号に基づき読み取り領域を設定する領域設定部と、
前記読み取り領域内の前記画像データを読み取る読取部と、
前記読取部による読み取り結果から番号を認識する番号認識部と、
前記番号認識部による認識結果を連続する複数ページで比較し連番となる番号の有無を判別し連番となる番号をページ番号と判別する番号判別部と、
を備えたことを特徴とする画像形成装置。
【請求項２】
請求項１記載の画像形成装置であって、
前記番号判別部で判別された前記ページ番号を消去する番号消去部を備えた、
ことを特徴とする画像形成装置。
【請求項３】
請求項１記載の画像形成装置であって、
前記番号判別部で連番となる番号を判別できなかった場合に前記認識された番号に対しぼかし処理をする番号ぼかし処理部を備えた、
ことを特徴とする画像形成装置。
【請求項４】
請求項２記載の画像形成装置であって、
前記ページ番号が消去された画像データに新たにページ番号を付与する番号付与部を  えた、
ことを特徴とする画像形成装置。
【請求項５】
画像データを読み取り画像出力する画像形成プログラムにおいて、
ページ番号に基づき読み取り領域を設定する領域設定手順と、
前記読み取り領域内の前記画像データを読み取る読取手順と、
前記読取手順による読み取り結果から番号を認識する番号認識手順と、
前記番号認識手順による認識結果を連続する複数ページで比較し連番となる番号の有無を判別し連番となる番号をページ番号と判別する番号判別手順と、
をコンピューターに実行させることを特徴とする画像形成プログラム。
【請求項６】
請求項５記載の画像形成プログラムであって、
前記番号判別手順で判別された前記ページ番号を消去する番号消去手順を前記コンピューターに実行させる、
ことを特徴とする画像形成プログラム。
【請求項７】
請求項５記載の画像形成プログラムであって、
前記番号判別手順で連番となる番号を判別できなかった場合に前記認識された番号に対しぼかし処理をする番号ぼかし処理手順をコンピューターに実行させる、
ことを特徴とする画像形成プログラム。
【請求項８】
請求項６記載の画像形成プログラムであって、
前記ページ番号が消去された画像データに新たにページ番号を付与する番号付与手順をコンピューターに実行させる、
ことを特徴とする画像形成プログラム。
【発明の詳細な説明】
【技術分野】
【０００１】
本発明は、原稿を読み取り生成された画像データに対し新たにページ番号を付与し画像出力する画像形成装置及び画像形成プログラムに関する。
【背景技術】
【０００２】
画像形成装置としては、例えば通常のプリント機能のほかにスキャナー機能及びＯＣＲ機能（文字認識機能）など、複数の機能を有する複合機（ＭＦＰ）がある。このような画像形成装置では、例えばスキャナー機能により原稿を読み取り、生成された画像データに対し新たにページ番号を付与する機能がある。
【０００３】
原稿を読み取り新たにページ番号を付与するには、例えば特許文献１のようにページ毎にページ番号を読み取り付与するものがある。
【０００４】
この技術で、原稿を読み取り画像出力した際に、左右ページにおいて異なった位置に記載されているページ番号を揃えて付与することができる。
【０００５】
しかしながら、原稿のページ番号を読み取り文字を認識する際に、前後のページを考慮することなく、読み取られるページだけでページ番号の認識を行う為、誤った番号を読み取り、ページ番号の認識率が低くなる可能性があった。
【先行技術文献】
【特許文献】
【０００６】
【特許文献１】特開平８−２４１４０１号公報
【発明の概要】
【発明が解決しようとする課題】
【０００７】
本発明が解決しようとする問題点は、ページ番号を読み取り文字認識する際にページ番号の認識率が低くなる可能性がある点である。
【課題を解決するための手段】
【０００８】
本発明は、ページ番号を読み取り文字認識する際のページ番号の認識率を向上させるため、画像データを読み取り画像出力する画像形成装置において、ページ番号に基づき読み取り領域を設定する領域設定部と、前記読み取り領域内の前記画像データを読み取る読取部と、前記読取部による読み取り結果から番号を認識する番号認識部と、前記番号認識部による認識結果を連続する複数ページで比較し連番となる番号の有無を判別し連番となる番号をページ番号と判別する番号判別部とを備えたことを最も主要な特徴とする。
【発明の効果】
【０００９】
本発明によれば、連続する複数ページに対し文字認識機能を用いて文字認識を行い、その認識結果から連番となる番号を判別し、連番となる番号を判別することで、ページ番号を読み取り認識する際のページ番号の認識率を向上させることができる。
【図面の簡単な説明】
【００１０】
【図１】画像形成装置のブロック図である（実施例１）。
【図２】画像形成装置の操作パネル部に表示されるページ番号付与時の設定画面を表示している（実施例１）。
【図３】ページ番号付与時の読み取り領域を設定する際の読み取り領域例であり、（ａ）は、ページ上端側における領域、（ｂ）は、ページ下端側における領域、（ｃ）は、ページ周囲における領域を示す説明図である（実施例１）。
【図４】画像形成処理のフローチャートである（実施例１）。
【発明を実施するための形態】
【００１１】
ページ番号を読み取り文字認識する際のページ番号の認識率を向上させるという目的を、番号認識部による認識結果を連続する複数ページで比較し連番となる番号の有無を判別し連番となる番号をページ番号と判別させることで実現した。
【実施例１】
【００１２】
［画像形成装置の構成］
図１は本発明の実施例１に係る画像形成装置を示すブロック図である。
【００１３】
図１のように、画像形成装置１は、制御部３、操作パネル部５、記憶部７、機能部９を備えている。
【００１４】
制御部３は、ソフトウェアプログラムを実行して各種制御や作業を行わせるＣＰＵ（Central Process Unit）等の制御要素である。
【００１５】
操作パネル部５は、タッチパネル式の液晶表示画面等からなり、画像形成装置１の各種機能部に対する操作指示及び操作状況の表示を行わせるものである。
【００１６】
記憶部７は、内部記憶部としての第１記憶部２８と第２記憶部３０とを備え、各種アプリケーション等のソフトウェアプログラムや動作に必要な設定データ等、各種機能に必要なデータを記憶している。
【００１７】
第１記憶部２８は、主記憶部としてのＲＡＭ（Random Access Memory）から構成されている。第２記憶部３０は、主記憶装置であるＲＯＭ（Read Only Memory）や補助記憶装置であるハードディスク等から構成されている。
【００１８】
機能部９は、例えば読取部としてのスキャナー部２９とプリンター部３１等を備えている。スキャナー部２９は、原稿の画像データを読み取るためのスキャナー処理を行う。プリンター部３１は、入力された画像データの画像出力処理を行う。
【００１９】
本実施例の画像形成装置１は、前記制御部３により制御用プログラムを実行することで、領域設定部１１、番号認識部１３、番号判別部１５、番号消去部１７、番号ぼかし処理部１９、番号付与部２１、パネル制御部２３、スキャナー制御部２５、プリンター制御部２７を備える。
【００２０】
領域設定部１１は、操作パネル５上に設けた原稿ページ消去欄４５において選択した読み取り領域をスキャナー部２９がページ番号に基づき画像データを読み取る際の読み取り領域として設定する。
【００２１】
番号認識部１３は、スキャナー部２９が読み取った原稿である画像データの中からページ番号候補となる算用数字キャラクタに対しＯＣＲ処理である文字認識処理を行い、認識結果を生成する。
【００２２】
番号判別部１５は、番号認識部１３が生成した連続する複数ページの認識結果から連番となる算用数字キャラクタの有無を判別する。
【００２３】
この番号判別部１５は、連番となる算用数字キャラクタが判別できた場合に、連続する複数ページのうち、前ページの算用数字キャラクタをページ番号として判別し、これを判別結果として生成する。
【００２４】
番号消去部１７は、番号判別部１５で連続する複数ページにおいて連番となる番号キャラクタの有無が判別できた場合に、算用数字キャラクタの消去処理による消去結果を生成する。消去処理は、算用数字キャラクタの表示領域であるバウンディングボックスに対しバウンディングボックス周辺の色を取り込み、バウンディングボックスの塗りつぶしを行う。
【００２５】
この消去処理は、連続する複数ページのうち前ページの算用数字キャラクタに対して行われる。
【００２６】
番号ぼかし処理部１９は、番号判別部１５において連番となる番号キャラクタの有無が判別できなかった場合、算用数字キャラクタのバウンディングボックスに対し市松模様等のぼかし処理を行う。
【００２７】
番号付与部２１は、算用数字キャラクタが消去された原稿である画像データに新たにページ番号の付与を行う。
【００２８】
パネル制御部２３は、操作パネル部５の表示制御や操作パネル部５の画面上の選択操作を受けて各種の制御を行う。たとえば、操作パネル部５の画面上の操作により領域設定部１１、番号付与部２１等に後述のように指示信号を出力する。
【００２９】
スキャナー制御部２５は、スキャナー部２９に対するスキャナー制御を行う。
【００３０】
プリンター制御部２７は、プリンター部３１に対するプリント制御を行う。
【００３１】
図２は、画像形成装置の操作パネル部５に表示されるページ番号付与時の設定画面を表示している。
【００３２】
操作パネル部５上には、番号付与機能を選択すると、ページ番号付与画面３３が表示されるようになっている。
【００３３】
ページ番号付与画面３３は、ページ番号メニュー欄３５、ページ番号位置欄３７、終了ページ欄３９、開始番号欄４１、原稿向き欄４３、原稿ページ消去欄４５を備えている。
【００３４】
ページ番号メニュー欄３５では、新たに付与するページ番号の表記種類を選択することができる。
【００３５】
本実施例では、新たに付与するページ番号の表記となる「−1−」、「Ｐ．１」、「１／ｎ」、「設定しない」を備え、例えば「−1−」を選択している。
【００３６】
ページ番号位置欄３７では、新たに付与するページ番号位置を選択することができる。
【００３７】
本実施例では、新たに付与するページ番号の位置となる「左上」、「左下」、「中央上」、「中央下」、「右上」、「右下」を備え、例えば「中央下」を選択している。
【００３８】
終了ページ欄３９では、後述するように読み取った原稿に対し最初のページから新たにページ番号を付与する場合に、その終了ページを指定する。たとえば、４枚の原稿を読み取り、２ページのみ新たなページ番号を付与するときは、終了ページ２が指定される。
【００３９】
終了ページの入力は、前記のような手動による入力の他、「自動」での入力を行わせることもできる。自動での入力は、全ページの付与となる。
【００４０】
本実施例では、「自動」を選択している。
【００４１】
開始番号欄４１では、一桁又は二桁の数字を選択入力することができる。この入力で、後述するように読み取った原稿の最初のページに付与されるページ番号を指定することができる。
【００４２】
本実施例では「１」が入力されていることから、読み取った原稿の最初のページ１が付与される。
【００４３】
原稿向き欄４３では、原稿の向きを選択することができる。
【００４４】
本実施例では、「奥天」、「左天」を設けており、画像形成装置の原稿載置台において、原稿載置台の奥方向に原稿の文字が上方向になる場合には「奥天」を選択し、原稿載置台に向かって左方向に原稿の文字が上方向となる場合には「左天」を選択することができる。
【００４５】
本実施例では、「奥天」を選択している。
【００４６】
原稿ページ消去欄４５では、スキャナー部２９による読み取り領域を選択することができる。
【００４７】
本実施例では「ＯＮ：上」、「ＯＮ：下」、「ＯＮ：周辺」、「ＯＦＦ」を設け、いずれかを選択することで読み取り領域の設定を行う。
【００４８】
「ＯＦＦ」が選択された場合には、スキャナー部２９による読み取り処理は行われず、新たなページ番号の付与も行われない。
【００４９】
本実施例では、「ＯＮ：下」を選択している。
【００５０】
[読み取り領域例のイメージ]
図３は、ページ番号付与時の読み取り領域を設定する際の読み取り領域例であり、（ａ）は、ページ上端側における領域、（ｂ）は、ページ下端側における領域、（ｃ）は、ページ周囲における領域を示す説明図である。
【００５１】
前記原稿ページ消去欄４５により「ＯＮ：上」、「ＯＮ：下」、「ＯＮ：周辺」の選択を行うと、図３（ａ）〜（ｃ）の何れかの読み取り領域４７、４９、５１から選択することができる。
【００５２】
例えば、前記原稿ページ消去欄４５において、「ＯＮ：上」が選択された場合には、図３（ａ）が示すページ上端から原稿記載領域までの領域を読み取り領域として設定し、同「ＯＮ：下」が選択された場合には、図３（ｂ）が示すページ下端から原稿記載領域までの領域が読み取り領域として設定される。
【００５３】
前記原稿ページ消去欄４５において、「ＯＮ：周辺」が選択された場合には、図３（ｃ）が示す原稿記載領域からページ外周領域までの領域を読み取り領域として設定される。
【００５４】
これにより、この読み取り領域からいずれかの読み取り領域が選択されることで、領域設定部１１は、スキャナー部２９での読み取り処理を行わせることができる。
【００５５】
したがって、本実施例の画像形成装置１では、操作パネル部５に表示されるページ番号付与画面３３に備えられている番号付与情報を選択し、原稿の読み取り処理、認識処理等が行われる。
【００５６】
その結果、連続する複数ページにおいて連続する算用数字キャラクタが認識された場合に限り、連続する複数ページから前ページの算用数字キャラクタをページ番号として付与される。
［画像形成装置の動作］
図２は、画像形成装置の操作パネル部５に表示されるページ番号付与時の設定画面を表示している。
【００５７】
図４は、本発明の実施例１に係る画像形成処理のフローチャートを示している。
【００５８】
画像形成装置１では、原稿をスキャナー部２９に送付する原稿載置台（図示せず）にセットされると、図４のステップＳ１から画像形成処理が順に行われる。
【００５９】
ステップＳ１では、「番号付与情報設定」の処理が実行される。この処理では、ユーザーが操作パネル部５上で番号付与機能を選択すると、パネル制御部２３によって操作パネル部５の画面上にページ番号付与画面３３が表示される。
【００６０】
図２に示すようにこの番号付与画面３３上においてユーザーは、番号付与情報の各種選択設定を行う。
【００６１】
ページ番号メニュー欄３５では、新たに付与するページ番号の表記種類として前記のように「−１−」を選択し、表記種類信号を生成する。
【００６２】
ページ番号位置欄３７では、新たに付与するページ番号位置として前記のように「中央下」を選択し、ページ番号位置信号が生成される。
【００６３】
終了ページ欄３９では、読み取った原稿に対し最初のページから新たにページ番号を付与する場合に、その終了ページを指定する。その指定として、前記のように「自動」を選択し、終了ページ信号が生成される。
【００６４】
開始番号４１では、読み取った原稿の最初のページに付与されるページ番号として前記のように「１」を入力し、開始番号信号が生成される。
【００６５】
原稿向き欄４３では、原稿の向きとして前記のように「奥天」を選択し、原稿向き情報が生成される。
【００６６】
原稿ページ消去欄４５では、領域設定部１１がスキャナー部２９による読み取り領域の設定として前記のように「ＯＮ：下」を選択し、読み取り領域信号が生成される。
【００６７】
これらの選択により、パネル制御部２３は信号を受け付け、ステップＳ２に移行する。
【００６８】
ステップＳ２では、「画像データ読取指示」の処理が実行される。
【００６９】
この処理では、ステップＳ１で読み取り領域信号が生成されたことで、領域設定部１１が、読み取り領域信号を受信し、スキャナー部２９に対し、読み取り処理を行う旨の領域設定信号を送信し、ステップＳ３に移行する。
【００７０】
ステップＳ３では、「描画データ読取」の処理が実行される。
【００７１】
この処理では、スキャナー部２９が指定された読み取り領域内で原稿の画像データに対し読み取り処理を行い、読み取り結果を生成する。例えば、前記のように選択された読み取り領域「ＯＮ：下」である図3（ｂ）の読み取り領域４９内でスキャナー部２９の起動により読み取り処理が行なわれる。スキャナー部２９は、生成された読み取り結果を第１記憶部２８に送信し、読み取り結果生成完了信号を番号認識部１３に送信し、ステップＳ４に移行する。
【００７２】
ステップＳ４では、「番号認識」の処理が実行される。
【００７３】
この処理では、番号認識部１３が、第１記憶部２８に対し最初のページ（以後前ページと称す）の読み取り結果の送付を要求する旨の要求信号を送信し、第１記憶部２８から前ページの読み取り結果を受信する。
【００７４】
また、番号認識部１３は、受信した読み取り結果に対し、算用数字キャラクタの番号認識処理を行う。
【００７５】
番号認識部１３は、番号認識処理をした後、認識結果を生成し、番号判別部１５に送信する。ここで、認識結果は、番号を認識できた場合と、認識できなかった場跡とが含まれる。
【００７６】
番号判別部１５は、認識結果を受信した後、番号認識部１３に対し、次のページの番号認識処理を指示する旨の番号認識指示信号を送信する。これにより、ステップＳ５へ移行する。
【００７７】
ステップＳ５では、「次のページの番号認識」の処理が実行される。
【００７８】
この処理では、番号認識部１３が、第１記憶部２８に対し次ページの読み取り結果の送付を要求する旨の要求信号を送信し、第１記憶部２８から次のページに対する読み取り結果を受信する。次のページの読み取り結果に対し、番号認識部１３は、算用数字キャラクタの番号認識処理を行う。
【００７９】
また、番号認識部１３は、次のページの認識結果を生成し、生成された次ページの認識結果を番号判別部１５に送信する。
【００８０】
なお、ステップＳ５の処理は、記憶部９に記憶されている全ての読み取り結果に対して行われる。これにより、ステップＳ６へ移行する。
【００８１】
ステップＳ６では、「認識番号が前ページと連番か？」の処理が実行される。
【００８２】
この処理では、番号判別部１５が、連続する複数ページでの認識結果を比較し、連番となる算用数字キャラクタの有無が判別される。
【００８３】
番号判別部１５は、連続する複数ページで連番となる算用数字キャラクタが判別できた場合には、前ページの算用数字キャラクタを前ページに対するページ番号と判別し、前ページの判別結果を生成する。
【００８４】
番号判別部１５が、生成した判別結果を番号消去部１７へ送信し、処理はステップＳ７へ移行する。
【００８５】
また、番号判別部１５が、連続する複数ページでの認識結果から連番となる算用数字キャラクタを判別できなかった場合には、その旨の判別結果が番号ぼかし処理部１９へ送信され、処理はステップＳ９へ移行する。ステップＳ９については後述する。
【００８６】
ステップＳ７では、「認識番号消去」の処理が実行される。
【００８７】
この処理では、番号消去部１７が、判別された算用数字キャラクタの表示領域であるバウンディングボックスに対し、その周辺の色を取り込み、塗りつぶすことで算用数字キャラクタの消去が行われる。
【００８８】
本実施例では、操作パネル部５のページ番号付与画面３３上の終了ページ欄３９に「自動」が設定されていることから原稿の全ページにおいてページ番号として判別された算用数字キャラクタに対し番号消去処理を行う。
【００８９】
番号消去部１７は、番号消去結果を生成した後に、番号消去結果を番号付与部２１に送付し、処理はステップＳ８へ移行する。
【００９０】
ステップＳ８では、「ページ番号付与」の処理が実行される。
【００９１】
この処理では、番号付与部２１が、番号消去部１７から受信した番号消去結果に対し、前記番号付与情報設定による開始番号信号等の各種信号を受信し、入力された番号から順にページ番号として付与を行う。
【００９２】
例えば、開始番号欄４１において前記のように「１」が入力されていることから全ての原稿に対し1から順にページ番号として付与される。
【００９３】
ステップＳ９では、「認識番号ぼかし処理」が行われる。この処理では、ステップＳ６において番号判別部１５が、連番となる算用数字キャラクタを判別できなかったため、番号ぼかし処理部１９が、受信した判別結果から複数の算用数字キャラクタのバウンディングボックスに対し、市松模様等によるぼかし処理を行う。
［実施例１の効果］
本実施例の画像形成装置１では、画像データを読み取り画像出力する画像形成装置において、ページ番号に基づき読み取り領域を設定する領域設定部１１と、前記読み取り領域内の前記画像データを読み取るスキャナー部２９と、スキャナー部２９による読み取り結果から番号を認識する番号認識部１３と、番号認識部１３による認識結果を連続する複数ページで比較し連番となる番号の有無を判別し連番となる番号をページ番号と判別する番号判別部１５とを備えたことを特徴とする画像形成装置。
【００９４】
従って、本実施例の画像形成装置１では、番号判別部１５が連続する複数ページから生成された認識結果を比較することで連番となる算用数字キャラクタの有無を判別することができ、この判別により連番となる算用数字キャラクタのうち前の算用数字キャラクタをページ番号と判別することができる。
【００９５】
これにより、原稿のページ番号を読み取り認識する際のページ番号の認識率を向上させることができる。
【００９６】
本実施例では、領域設定部１１において読み取り領域が設定されたことにより、スキャナー部２９は、その読み取り領域内で原稿の読み取り処理を行う。
【００９７】
従って本実施例では、番号認識部１３は、原稿を誤ってページ番号として認識してしまう可能性を抑制することができ、番号認識部１３の認識処理の高速化を図ることができる。
【００９８】
さらに、本実施例では、番号判別部１５が連続する複数ページから算用数字キャラクタを判別した場合に、連続する算用数字キャラクタのうち前の算用数字キャラクタをページ番号とする。
【００９９】
これにより、番号消去部１７は、番号判別部１５によりページ番号とされた算用数字キャラクタに対し、ページ番号の消去を行い、番号付与部２１により新たにページ番号の付与が行われる。
【０１００】
従って、本実施例では、原稿に記載されたページ番号を正しく判別した上でページ番号を消去し新たにページ番号を付与することができる。
【０１０１】
また、本実施例では、番号判別部１５が連続する複数ページから算用数字キャラクタを判別できなかった場合に、番号ぼかし処理部１９は、原稿のページ番号対し市松模様等のぼかし処理を行う。
【０１０２】
これにより、原稿を誤って認識し消去してしまう可能性を回避することができる。
[その他]
以上、本発明の実施例について説明したが、本発明はこれに限定されるものではなく、各種の変更ができる。
【０１０３】
例えば、上記実施例では、番号認識部１３において算用数字キャラクタを原稿のページ番号として認識対象としていたが、算用数字キャラクタに限られることはなく漢数字キャラクタ、ローマ数字キャラクタ等をそれぞれ認識対象とすることができる。
【０１０４】
また、上記実施例では、番号判別部１５において連番となる算用数字キャラクタの有無の判別を行っているが、連番となる算用数字キャラクタとして判別されることとは、単に複数ページにおいて算用数字キャラクタが連続していることのみを判別するのではなく、複数ページにおいて奇数番号のページ又は、偶数番号のページのどちらか一方のページで算用数字キャラクタが認識できた場合も含まれる。
【符号の説明】
【０１０５】
１    画像形成装置
３    制御部
１１  領域設定部
１３  番号認識部
１５  番号判別部
１７  番号消去部
１９  番号ぼかし処理部
２１  番号付与部
２９  スキャナー部（読取部）
【図１】
2012096434.tif 000003
【図２】
2012096434.tif 000004
【図３】
2012096434.tif 000005
【図４】
2012096434.tif 000006